(57)【特許請求の範囲】
【請求項１】
バッテリバックアップユニット（ＢＢＵ）及び少なくとも１つのサーバを有するラックサーバシステムに適用可能な動作方法であって、
前記サーバと前記ＢＢＵとの間で通信するステップ、
前記ＢＢＵから前記サーバに、該サーバが前記ＢＢＵの状態を判定するための状態情報及び自己放電試験情報を提供するステップ、及び
入力電力が遮断されたときに、前記ＢＢＵから前記サーバに電力を供給し、前記ＢＢＵの前記状態情報に従って前記サーバの負荷を調整するステップ、
を有し、
前記ＢＢＵは並列に接続された複数のＢＢＵサブシステムを含み、
各ＢＢＵサブシステムは複数のバッテリモジュールを含み、
前記状態情報は、前記複数のバッテリモジュールのいくつが適切であるか、又はいくつが不適切であるか、又はいくつが故障しているかを示すことを特徴とする動作方法。
【請求項２】
請求項１に記載の動作方法であって、
各ＢＢＵサブシステムは複数のＢＢＵモジュールを含み、
前記動作方法は、
新たなＢＢＵサブシステム又は新たなＢＢＵモジュールが前記ＢＢＵの中に取り付けられた後に、前記ＢＢＵ、又は前記新たなＢＢＵサブシステム、又は前記新たなＢＢＵモジュールによって、充電が完了したか否かについて判定され、充電が完了した後に、前記新たなＢＢＵサブシステム又は前記新たなＢＢＵモジュールから前記サーバに状態情報が送信されるか、又は前記ＢＢＵ内に前記状態情報が格納されるステップ、及び
前記新たなＢＢＵサブシステム又は前記新たなＢＢＵモジュールの前記状態情報を受信し、該サーバ内に記録するステップ、
を更に有することを特徴とする動作方法。
【請求項３】
請求項２に記載の動作方法であって、
前記ＢＢＵサブシステムの１つが取り外されているか、又は故障している場合において、前記入力電力が遮断されたときは、別のＢＢＵサブシステムが前記サーバに電力を供給し、
前記ＢＢＵサブシステムの前記ＢＢＵモジュールの１つに対して自己放電試験が実行されている間に、前記入力電力が偶発的に遮断された場合には、前記ＢＢＵサブシステムの他のＢＢＵモジュールが前記サーバに電力を供給し、
前記ＢＢＵサブシステムが取り外されているか、又は故障している間、前記サーバが、前記ＢＢＵサブシステムが取り外されているか否か又は故障しているか否かを更に示す前記状態情報を記録し、前記入力電力が遮断された場合に、前記サーバが前記状態情報に従ってその負荷を調整することを特徴とする動作方法。
【請求項４】
請求項２に記載の動作方法であって、
各ＢＢＵサブシステムは複数のコンバータを含み、前記バッテリモジュールの１つが前記コンバータの１つとともに動作することを特徴とする動作方法。
【請求項５】
請求項４に記載の動作方法であって、
前記ＢＢＵの前記バッテリモジュールの数は、前記ラックサーバシステムの出力電力に従って決定され、
前記バッテリモジュールは充電式リチウムバッテリを含むことを特徴とする動作方法。
【請求項６】
請求項１に記載の動作方法であって、
前記自己放電試験情報は、自己放電試験が行われた時刻を含むことを特徴とする動作方法。
【請求項７】
請求項４に記載の動作方法であって、
前記サーバが前記ＢＢＵの前記状態を判定するステップは、
前記サーバによって、いずれかのＢＢＵサブシステム若しくはいずれかのＢＢＵモジュールが取り外されている、若しくは故障しているか否かを判定されるステップ、及び／又は前記サーバによって、前記バッテリモジュールの状態について判定されるステップを含むことを特徴とする動作方法。
【請求項８】
請求項１に記載の動作方法であって、
前記入力電力が遮断されたか否かは、前記ＢＢＵによって、又は前記サーバによって、又は前記ＢＢＵ及び前記サーバの両方によって検出されることを特徴とする動作方法。
【請求項９】
バッテリバックアップユニット（ＢＢＵ）と、
前記ＢＢＵに結合される少なくとも１つのサーバと、を有し、
前記サーバ及び前記ＢＢＵは互いに通信し、
前記ＢＢＵは、前記サーバが前記ＢＢＵの状態を判定するための状態情報及び自己放電試験情報を前記サーバに提供し、
入力電力が遮断されたときに、前記ＢＢＵは前記サーバに電力を供給し、前記サーバは前記ＢＢＵの前記状態情報に従ってその負荷を調整し、
前記ＢＢＵは並列に接続された複数のＢＢＵサブシステムを含み、
各ＢＢＵサブシステムは複数のバッテリモジュールを含み、
前記状態情報は、前記複数のバッテリモジュールのいくつが適切であるか、又はいくつが不適切であるか、又はいくつが故障しているかを示すことを特徴とする、ラックサーバシステム。
【請求項１０】
請求項９に記載のラックサーバシステムであって、
各ＢＢＵサブシステムは複数のＢＢＵモジュールを含み、
新たなＢＢＵサブシステム又は新たなＢＢＵモジュールが前記ＢＢＵの中に取り付けられた後に、前記ＢＢＵ、又は前記新たなＢＢＵサブシステム、又は前記新たなＢＢＵモジュールが、充電が完了したか否かを判定し、充電が完了した後に、前記新たなＢＢＵサブシステム又は前記新たなＢＢＵモジュールが、その状態情報を前記サーバに送信するか、又は前記ＢＢＵが前記状態情報を格納し、
前記サーバは、前記新たなＢＢＵサブシステム又は前記新たなＢＢＵモジュールの前記状態情報を受信し、記録することを特徴とする、ラックサーバシステム。
【請求項１１】
請求項１０に記載のラックサーバシステムであって、
前記ＢＢＵサブシステムの１つが取り外されたか、又は故障した場合において、前記入力電力が遮断されたときは、他のＢＢＵサブシステムが前記サーバに電力を供給し、
前記ＢＢＵサブシステムの前記ＢＢＵモジュールの１つに対して自己放電試験が実行されている間に、前記入力電力が偶発的に遮断された場合には、前記ＢＢＵサブシステムの他のＢＢＵモジュールが前記サーバに電力を供給し、
前記ＢＢＵサブシステムが取り外されているか、又は故障している間、前記サーバが、前記ＢＢＵサブシステムが取り外されているか否か又は故障しているか否かを更に示す前記状態情報を記録し、前記入力電力が遮断された場合に、前記サーバが前記状態情報に従ってその負荷を調整することを特徴とする、ラックサーバシステム。
【請求項１２】
請求項１０に記載のラックサーバシステムであって、
各ＢＢＵサブシステムは複数のコンバータを含み、前記バッテリモジュールの１つが前記コンバータの１つとともに動作することを特徴とする、ラックサーバシステム。
【請求項１３】
請求項１２に記載のラックサーバシステムであって、
前記ＢＢＵの前記バッテリモジュールの数は、前記ラックサーバシステムの出力電力に従って決定され、
前記バッテリモジュールは充電式リチウムバッテリを含むことを特徴とする、ラックサーバシステム。
【請求項１４】
請求項９に記載のラックサーバシステムであって、
前記自己放電試験情報は、自己放電試験が行われた時刻を含むことを特徴とする、ラックサーバシステム。
【請求項１５】
請求項１２に記載のラックサーバシステムであって、
前記サーバは、いずれかのＢＢＵサブシステム又はいずれかのＢＢＵモジュールが取り外されているか、若しくは故障しているか否かを判定し、及び／又は前記サーバは前記バッテリモジュールの状態を判定することを特徴とする、ラックサーバシステム。
【請求項１６】
請求項９に記載のラックサーバシステムであって、
前記入力電力が遮断されたか否かは、前記ＢＢＵ、又は前記サーバ、又は前記ＢＢＵ及び前記サーバの両方によって検出されることを特徴とする、ラックサーバシステム。
【発明の詳細な説明】
【技術分野】
【０００１】
本開示は概してラックサーバシステムに関し、特にラックサーバシステム及びそれに適用可能な動作方法に関する。
【背景技術】
【０００２】
種々の用途においてブレードサーバが広く使用されている。動作の便宜上、ラックサーバシステムは、１つのラックシステム内に複数のブレードサーバを含む。
【０００３】
ラックサーバシステムのブレードサーバは、完全な機能を有する１つのコンピュータとしての役割を果たす。言い換えると、ブレードサーバは、そのコアコンポーネント（ＣＰＵ、マザーボード、ランダムアクセスメモリ（ＲＡＭ）及びハードディスク等）に加えて、電源装置及び放熱デバイスのような周辺デバイスを有する。
【０００４】
ＡＣグリッド電力が不安定である場合には、サーバの動作が不安定になり（シャットダウン等）、サーバ内に格納したデータが破損する可能性さえもある。電力供給に異常がある場合にデータ損失及び電子装置の損傷を回避するために、無停電電力系統（ＵＰＳ）が使用され、サーバの内部構成要素が効率的に保護され、サーバの耐用年数及び精度が保証される。しかしながら、既存のＵＰＳの信頼性は依然として十分なものではない。
【０００５】
そこで、コストを下げ、効率を高め、かつ安定性を高めるために、バッテリバックアップユニット（ＢＢＵ）が、ＵＰＳに代えて／支援するためにラックサーバシステムに設けられる。
【０００６】
しかしながら、ＢＢＵのバッテリモジュールが故障しているか、又はメンテナンス若しくは点検のために取り外されている間に、ＡＣグリッド電力が不安定／異常／遮断状態になった場合には、ＢＢＵによって供給される電力が不十分であることに起因して、ラックサーバシステムの動作安定性が影響を受けることになる。
【０００７】
その上、ＢＢＵの正常な動作を維持するために、或る期間毎にバッテリ自己放電試験が実行され、ＢＢＵのバッテリがその放電曲線に従って正常であるか否かの判定が行われる。バッテリ自己放電試験の間にＡＣグリッド電力が不安定／異常／遮断状態になった場合には、ＢＢＵから供給される電力が不十分であることに起因して、ラックサーバシステムの動作安定性が影響を受けることになる。
【０００８】
さらに、現在の慣行では、ＢＢＵのメンテナンスの間、ラックサーバシステムの電源は通常切られ、このことは使用者及び／又は管理者にとって不都合である。
【０００９】
また、特許文献１は、バッテリ放電コンディショニングサイクル中に電流放電を調整するための方法及びシステムを開示している。メモリ制御回路を利用してメモリシステムとの間のデータの転送を制御するための方法及びシステムが開示されている。バックアップバッテリ及び制御回路を備えたメモリ制御回路が提供されている。バックアップバッテリの放電サイクルを通じて、バッテリヘルスが特定される。バックアップバッテリから生成された電源が、非電力損状態中のメモリ制御回路の正常な動作中にメモリ制御カードの回路部に与えられる。メモリ制御回路の非電力損状態中にバックアップバッテリから供給される電力は、バッテリヘルス放電サイクル中の正常なメモリコントローラーカード動作の一部として、メモリ制御回路の少なくとも第１の回路によって利用される。システムがバッテリヘルスサイクルを実行していないとき、第１の回路は正常なシステム電力を受信する。メモリ制御回路はＲＡＩＤカードとすることができる。第１の回路はメモリ回路とすることができる。メモリ制御カードの回路部のための電力源をバックアップバッテリと通常のシステム電力との間で切り替えることによって、バッテリヘルス放電サイクル中にバックアップバッテリ放電レートを調整することができる。
【先行技術文献】
【特許文献】
【００１０】
【特許文献１】米国特許第８，１２９，９４６号
【発明の概要】
【発明が解決しようとする課題】
【００１１】
本開示はラックサーバシステム及びその動作方法を対象とする。ラックサーバシステムのバッテリバックアップユニット（ＢＢＵ）が、並列に接続され、かつ独立して動作する複数のＢＢＵサブシステムを有する。それゆえ、ＢＢＵサブシステムの１つが故障しているか、又は取り外されるときに、ＡＣグリッド電力が遮断された場合であっても、他のＢＢＵサブシステムが、サーバの正常な動作を維持するための電力をサーバに供給する。
【００１２】
本開示の一実施形態によれば、ラックサーバシステムに適用可能な動作方法が提供される。前記ラックサーバシステムは、バッテリバックアップユニット（ＢＢＵ）及び少なくとも１つのサーバを有する。前記動作方法は、前記サーバと前記ＢＢＵとの間で通信するステップ、前記ＢＢＵが前記サーバに、該サーバが前記ＢＢＵの状態を判定するための状態情報及び前の自己放電試験情報を提供するステップ、及び、入力電力が遮断されたときに、前記ＢＢＵから前記サーバに電力を供給し、前記ＢＢＵの前記状態情報に従って前記サーバの負荷を調整するステップ、を有する。
【００１３】
本開示の他の実施形態によれば、バッテリバックアップユニット（ＢＢＵ）と、少なくとも１つのサーバと、を有するラックサーバシステムが提供される。前記少なくとも１つのサーバは前記ＢＢＵに結合される。前記サーバ及び前記ＢＢＵは互いに通信する。前記ＢＢＵは、前記サーバが前記ＢＢＵの状態を判定するための状態情報及び前の自己放電試験情報を前記サーバに提供する。入力電力が遮断されたときに、前記ＢＢＵは前記サーバに電力を供給し、前記サーバは前記ＢＢＵの前記状態情報に従って自身の負荷を調整する。
【００１４】
上述した概略的な説明及び以下の詳細な説明はともに例示的かつ説明的なものに過ぎず、請求項に記載されているように、開示する実施の形態に限定するものではないことが理解されるべきである。
【図面の簡単な説明】
【００１５】
【図１】本開示の一実施形態によるラックサーバシステムの機能図である。
【図２】本開示の一実施形態によるＢＢＵのブロック図である。
【図３】本開示の一実施形態によるサーバ及びＢＢＵの制御フローチャートである。
【発明を実施するための形態】
【００１６】
図１は、本開示の一実施形態によるラックサーバシステムの機能図を示す。図１に示されるように、ラックサーバシステム１００は、変圧器１１０、ジェネレータ１２０、配電ユニット（ＰＤＵ）１３０、ＡＣ／ＤＣ電源装置１６０、少なくとも１つのサーバ１４０及びバッテリバックアップユニット（ＢＢＵ）１５０を含む。ここでは、サーバ１４０の数は限定されない。本開示のこの実施形態では、変圧器１１０、ジェネレータ１２０、ＰＤＵ１３０、及びＡＣ／ＤＣ電源装置１６０の数、機能及び動作は限定されない。
【００１７】
本開示のこの実施形態において、ＡＣグリッド電源が遮断状態／不安定状態になった場合には、ＢＢＵ１５０がサーバ１４０に電力を供給する。その後、ＡＣ／ＤＣ電源装置１６０へのＡＣ電力の供給のためにジェネレータ１２０が起動され、ＡＣ／ＤＣ電源装置がＡＣ電力をＤＣ電力に変換し、さらに、そのＤＣ電力をサーバ１４０に供給する。すなわち、本開示のこの実施形態では、ＢＢＵ１５０が電力を供給する期間は基本的に、ＡＣグリッド電源が不安定であることを検出した時点から、ジェネレータ１２０が正常に起動された時点までをカバーする。
【００１８】
図２を参照すると、本開示の一実施形態によるＢＢＵ１５０のブロック図が示される。図２に示されるように、ＢＢＵ１５０はＢＢＵサブシステム２００Ａ及び２００Ｂを含む。図２において、ＢＢＵ１５０は、例示として２つのＢＢＵサブシステムを含む。しかしながら、本開示の他の可能な実施形態では、ＢＢＵは１以上のＢＢＵを有してもよく、これも本開示の趣旨の範囲内にある。
【００１９】
本開示のこの実施形態では、ＢＢＵ１５０はＢＢＵサブシステム２００Ａ及び２００Ｂを含む。ＢＢＵサブシステムの１つが（故障、バッテリの耐用年数問題又は交換等に起因して）取り外されたときでも、別のＢＢＵサブシステムは依然として正常に動作する。したがって、ＢＢＵサブシステムのメンテナンス又は交換はＢＢＵにほとんど影響を及ぼさない。すなわち、ＢＢＵサブシステムの１つが故障しているか、又は取り外されるときに、ＡＣグリッド電力が遮断危険状態／不安定状態になる場合には、別のＢＢＵサブシステムが電力を供給し、ラックサーバシステムの正常な動作を維持する。
【００２０】
さらに、ラックサーバシステムのバッテリモジュールの数を出力電力に応じて決定してもよく、ラックサーバシステムのシステム構成及びコストをより柔軟に変更できる。すなわち、高い出力電力が望まれる場合には、ラックサーバシステムは、より多くのバッテリモジュールを有してもよく、逆の場合も同じである。
【００２１】
ＢＢＵサブシステム２００Ａ及び２００Ｂはそれぞれ、複数のバッテリモジュール２１０及び複数のＤＣ／ＤＣコンバータ２２０を含む。図２では例示として１つのＢＢＵサブシステムが５つのバッテリモジュール２１０を含むが、本開示はそれには限定されない。本開示のこの実施形態では、１つのバッテリモジュール２１０が、１つのＤＣ／ＤＣコンバータ２２０とともに動作する。ＤＣ／ＤＣコンバータ２２０は、バッテリモジュール２１０のＤＣ出力電圧を、サーバ１４０によって必要とされるＤＣ電圧に変換する。また、詳述する都合上、１つのバッテリモジュール２１０及び１つのＤＣ／ＤＣコンバータ２２０は１つのＢＢＵモジュールとして言及される。
【００２２】
ＢＢＵサブシステムは、マイクロコントローラ（μｐ）、電圧検出器、ブロッキング回路のような他の構成要素を更に有することができ、それは本開示の趣旨の範囲内にある。例示的なものであり、限定的ではないが、バッテリモジュール２１０のエネルギー貯蔵デバイスとしてリチウムバッテリが用いられ、ＢＢＵが小型化される。
【００２３】
ＢＢＵサブシステムは並列に接続することができる。本開示のこの実施形態では、モジュール化設計によって、設計者によるバッテリモジュールの保護が可能なヒューズの選択がより容易になる。単一のＤＣ／ＤＣコンバータ２２０は通常、低い電圧／電流を出力するので、所望のヒューズを見つけるのは容易である。
【００２４】
また、本開示のこの実施形態では、ＤＣ／ＤＣコンバータ２２０は更に、外部電圧変化による悪影響から、バッテリモジュール２１０を保護する。
【００２５】
図２を例にとることにする。ＢＢＵサブシステムを取り外す目的の１つは、その中に配置されているＢＢＵモジュールが故障している可能性がより高いために、該ＢＢＵモジュールを除去することである。また、その中に配置されたＢＢＵモジュールを交換するために、ＢＢＵサブシステム２００Ａ又は２００Ｂは取り外すことができる。それゆえ、本開示のこの実施形態では、ＢＢＵ１５０は複数のＢＢＵサブシステムを含み（図２では、例示として２つのＢＢＵサブシステム２００Ａ及び２００Ｂが用いられるが、本開示の実施形態はそれに限定されない）、その利点は、ＢＢＵのいずれか１つのＢＢＵモジュールが故障し交換されるとき、ＢＢＵモジュールの交換中にＢＢＵサブシステムが取り外されても、ＢＢＵ１５０が依然として正常に動作するという点にある。
【００２６】
図３を参照すると、本開示の一実施形態によるサーバ側及びＢＢＵ側の制御フローチャートが示される。Ｓ３１０Ａ及び３１０Ｂにおいて、サーバ及びＢＢＵは互いに通信する。Ｓ３１５において、ＢＢＵは自らの状態情報及び前の自己放電試験情報（前の自己放電試験の試験時間等）をサーバに与える。
【００２７】
バッテリモジュールの充電／放電状態を得るために、ＢＢＵは、バッテリモジュールの放電曲線が得られるよう、バッテリモジュールを放電するための期間毎にバッテリモジュールに対し自己放電試験を実行する。その放電曲線に基づいて、バッテリモジュールが正常であるか又は故障しているかが確認される。バッテリモジュールが不適切もしくは故障している場合には、ＢＢＵはその情報を記録し、またこの情報をＢＢＵサブシステムの内部メモリ（図示せず）に格納してもよい。ＢＢＵによって与えられる状態情報は、バッテリモジュールのいくつが適切であるか、いくつが不適切であるか、及びいくつが故障しているか等である。基本的に、自己放電試験は、全てのバッテリモジュールが試験されるまで、一度に１つのバッテリモジュールに対して実行される。
【００２８】
また、本開示のこの実施形態では、ＢＢＵサブシステムのバッテリモジュールの１つに対して自己放電試験が実行されるときに、ＡＣグリッド電力が偶発的に遮断される場合にも、このＢＢＵサブシステムの他のバッテリモジュールが依然として正常に電力を供給し、他の正常なＢＢＵサブシステム（もしあれば）もサーバに正常に電力を供給する（すなわち、ＢＢＵ１５０はサーバに電力を正常に供給する）。したがって、サーバの動作は、ＡＣグリッド電力の遮断による影響を受けない。本開示のこの実施形態では、ＢＢＵサブシステムは複数のバッテリモジュールを有する。１以上のバッテリモジュールが故障しているか、又は不適切であるとき、ＢＢＵ１５０及びサーバは、その情報を記録してもよい。したがって、１又は複数のバッテリモジュールが故障しているか、又は不適切であっても、サーバの動作は影響を受けない。
【００２９】
また、ＢＢＵが１つのＢＢＵサブシステムしか有しないと仮定する。ＢＢＵサブシステムのバッテリモジュールの１つにおいて自己放電試験が実行されるときに、ＡＣグリッド電力が偶発的に遮断された場合には、そのＢＢＵサブシステムは、試験中のバッテリモジュールに対する自己放電試験を直ちに中止し、他のバッテリモジュールがサーバに正常に電力を供給する。したがって、サーバの動作はＡＣグリッド電力の遮断による影響を受けない。
【００３０】
Ｓ３２０において、サーバは、ＢＢＵの状態（いずれか１つのＢＢＵサブシステムが取り外されている／故障しているか否か、バッテリモジュールの状態等）を判定できるよう、ＢＢＵから、ＢＢＵ状態情報及び前の自己放電試験情報を読み出し、記録する。図２を例にとると、ＢＢＵは２つのＢＢＵサブシステムを有する。ＢＢＵによって与えられる情報が、この情報が一方のＢＢＵサブシステムにのみ関連付けられていることを示す場合には、これは、ＢＢＵサブシステムの他方が取り外されているか、又は故障している可能性があることを意味する。
【００３１】
Ｓ３２５において、ＢＢＵサブシステム又はＢＢＵモジュールが取り外されていると仮定すると、新たなＢＢＵサブシステム又は新たなＢＢＵモジュールがＢＢＵの中に取り付けられる。又は、ＢＢＵサブシステム若しくはＢＢＵモジュールが故障していると仮定すると、故障したＢＢＵサブシステム若しくはＢＢＵモジュールが取り外され、新たなＢＢＵサブシステム若しくは新たなＢＢＵモジュールがＢＢＵの中に取り付けられる。
【００３２】
Ｓ３３０において、新たなＢＢＵサブシステム又は新たなＢＢＵモジュールの充電が完了した後に、該新たなＢＢＵサブシステム又は新たなＢＢＵモジュールが、自らの状態情報をサーバに送信する。本開示のこの実施形態では、ＢＢＵシステム、ＢＢＵサブシステム又はＢＢＵモジュールが、充電が完了したか否かを判定する。例えば、ＢＢＵのマイクロコントローラ、ＢＢＵサブシステムのマイクロコントローラ、又はＢＢＵモジュールのマイクロコントローラが、バッテリモジュールの充電が完了したか否かを判定する。さらに、その状態情報をＢＢＵ内に格納してもよい。
【００３３】
Ｓ３３５において、サーバは、新たなＢＢＵサブシステム又は新たなＢＢＵモジュールの状態情報を受信し、記録する。本開示のこの実施形態では、Ｓ３２５−３３５は必須のステップではない。すなわち、ＢＢＵの全てのＢＢＵサブシステムが正常である場合には、Ｓ３２５−３３５は省略してもよい。
【００３４】
Ｓ３４０において、ＡＣグリッド電力が遮断されたとき、ＢＢＵがサーバに電力を供給する。Ｓ３４５において、ＡＣグリッド電力が遮断されたとき、サーバは、ＢＢＵによって供給される電力を受信し、ＢＢＵの状態情報に従って、サーバ負荷を調整する。本開示のこの実施形態では、ＡＣグリッド電力が遮断されたか否かは、ＢＢＵのみ、サーバのみ、又はＢＢＵ及びサーバの両者によって検出されてもよく、いずれの構成も本開示の趣旨の範囲内にある。
【００３５】
例えば、ＢＢＵは１０個のバッテリモジュールを有する。ＢＢＵの状態情報が、１０個全てのバッテリモジュールが正常であることを示す場合において、ＡＣグリッド電力が遮断されたときは、サーバは、その状態情報に従ってサーバ負荷（例えば、最大作業負荷）を調整することができる。ここで、最大作業負荷は、サーバのＣＰＵ（図示せず）及び／又はメモリ（図示せず）が最大速度で動作することを指している。一方、ＢＢＵの状態情報が、１０個のバッテリモジュールの９個が正常であることを示す場合において、ＡＣグリッド電力が遮断されたときは、サーバは、その状態情報に従って自らの負荷を調整することができる。例えば、この場合には、サーバは最大作業負荷の９０％において動作することができる。すなわち、ＣＰＵ及び／又はメモリは最大速度の９０％において動作する。残りの場合についても同様である。
【００３６】
また、本開示のこの実施形態では、ＢＢＵサブシステムの１つが取り外されたときにも、サーバはその情報を記録し、ＡＣグリッド電力が遮断された場合に、その情報に従ってサーバが自らの負荷を調整してもよい。
【００３７】
当業者により、上述の開示した実施形態に対し、その広い発明の概念から逸脱することなく変更を行うことができることが理解されよう。したがって、開示した実施形態は、開示した特定の例には限定されず、以下の特許請求の範囲によって規定される開示した実施形態の趣旨及び範囲内の変形を包含するように意図されていることが理解される。
【図１】
0005600836.tif 000002
【図２】
0005600836.tif 000003
【図３】
0005600836.tif 000004